(57)【特許請求の範囲】
【請求項１】
家庭用薄葉紙を収納する家庭用薄葉紙収納容器であって、
前記家庭用薄葉紙の取出口を具備する容器本体と、
前記容器本体に対して所定方向の軸を中心に回動自在に取付けられ、前記取出口を開閉する蓋体と、を備え、
前記取出口は、前記所定方向に直交する方向の中途部が幅狭となるように仕切られ、前記所定方向の軸側に前記家庭用薄葉紙が引き出される開口部分が形成されてなり、
前記蓋体の前記取出口に対向する位置には、前記取出口の前記所定方向の軸側の開口部分を介して引き出された前記家庭用薄葉紙を当該蓋体と前記容器本体との係合部分よりも前記取出口側に押し込むための押込部が設けられていることを特徴とする家庭用薄葉紙収納容器。
【請求項２】
前記取出口は、前記中途部により仕切られることで形成された前記所定方向の軸側の開口部分が前記所定方向の軸と反対側の開口部分に対して大きくされてなることを特徴とする請求項１に記載の家庭用薄葉紙収納容器。
【請求項３】
前記容器本体の前記取出口よりも内側であって、前記押込部に対向する位置には、前記取出口の前記所定方向の軸側の開口部分を介して引き出された前記家庭用薄葉紙を当該取出口の内側に案内する案内部が設けられていることを特徴とする請求項１又は２に記載の家庭用薄葉紙収納容器。
【発明の詳細な説明】
【技術分野】
【０００１】
本発明は、家庭用薄葉紙収納容器に関する。
【背景技術】
【０００２】
従来、ウェットシートやウェットティシュー等の家庭用薄葉紙を収納する家庭用薄葉紙収納容器として、家庭用薄葉紙の取出口を有する容器本体に、取出口を開閉するように蓋体が回動自在に設けられたものが知られている（例えば、特許文献１参照）。
【先行技術文献】
【特許文献】
【０００３】
【特許文献１】特許第３９８６２４７号公報
【発明の概要】
【発明が解決しようとする課題】
【０００４】
しかしながら、上記特許文献１の場合、使用後に蓋体を回動させて取出口を閉じた状態とする際に、取出口を介して引き出されている家庭用薄葉紙が蓋体と容器本体との係合部分に挟まる虞があり、取出口を閉じる動作を適正に行うことができないといった問題がある。
なお、蓋体の裏側にパッキン部材を設け、パッキン部材により家庭用薄葉紙を押し込むことで蓋体と容器本体との係合部分に家庭用薄葉紙が挟まり難くすることができるものの、この場合、家庭用薄葉紙が取出口よりも下側に落ち込んでしまうといった問題が生じてしまう。
【０００５】
そこで、本発明の課題は、蓋体を回動させて取出口を閉じる動作を適正に行うことができる家庭用薄葉紙収納容器を提供することである。
【課題を解決するための手段】
【０００６】
上記課題を解決するため、請求項１に記載の発明は、
家庭用薄葉紙を収納する家庭用薄葉紙収納容器であって、
前記家庭用薄葉紙の取出口を具備する容器本体と、
前記容器本体に対して所定方向の軸を中心に回動自在に取付けられ、前記取出口を開閉する蓋体と、を備え、
前記取出口は、前記所定方向に直交する方向の中途部が幅狭となるように仕切られ、前記所定方向の軸側に前記家庭用薄葉紙が引き出される開口部分が形成されてなり、
前記蓋体の前記取出口に対向する位置には、前記取出口の前記所定方向の軸側の開口部分を介して引き出された前記家庭用薄葉紙を当該蓋体と前記容器本体との係合部分よりも前記取出口側に押し込むための押込部が設けられていることを特徴としている。
【０００７】
請求項２に記載の発明は、請求項１に記載の家庭用薄葉紙収納容器において、
前記取出口は、前記中途部により仕切られることで形成された前記所定方向の軸側の開口部分が前記所定方向の軸と反対側の開口部分に対して大きくされてなることを特徴としている。
【０００９】
また、請求項３に記載の発明は、請求項１又は２に記載の家庭用薄葉紙収納容器において、
前記容器本体の前記取出口よりも内側であって、前記押込部に対向する位置には、前記取出口の前記所定方向の軸側の開口部分を介して引き出された前記家庭用薄葉紙を当該取出口の内側に案内する案内部が設けられていることを特徴としている。
【発明の効果】
【００１０】
本発明によれば、家庭用薄葉紙が蓋体と容器本体との係合部分に挟まってしまうことを抑制することができ、これにより、蓋体を回動させて取出口を閉じる動作を適正に行うことができる。
【図面の簡単な説明】
【００１１】
【図１】本発明を適用した一実施形態の家庭用薄葉紙収納容器の斜視図である。
【図２】図１のＡ−Ａ線における家庭用薄葉紙収納容器の断面図である。
【図３】図１の家庭用薄葉紙収納容器の断面図である。
【図４】取出口の変形例を説明するための家庭用薄葉紙収納容器の斜視図である。
【発明を実施するための形態】
【００１２】
以下に、本発明について、図面を用いて具体的な態様を説明する。ただし、発明の範囲は、図示例に限定されない。
図１は、本発明を適用した一実施形態の家庭用薄葉紙収納容器１００を示す斜視図である。また、図２及び図３は、図１のＡ−Ａ線における家庭用薄葉紙収納容器１００の断面図であり、図２は、上蓋３が開いた状態を表し、図３は、上蓋３が閉じた状態を模式的に表している。
【００１３】
また、以下の説明では、家庭用薄葉紙Ｐの使用の際に上側となる面を家庭用薄葉紙収納容器１００の上面とし、その反対側を家庭用薄葉紙収納容器１００の下面とする。また、上下方向に略直交し、上蓋３の回動軸３１の延在方向を左右方向とし、上下方向及び左右方向に略直交する方向を前後方向とする。
【００１４】
家庭用薄葉紙収納容器１００は、例えば、ウェットティシューやティシューペーパー等の湿性の家庭用薄葉紙Ｐを収納するものである。
具体的には、図１に示すように、家庭用薄葉紙収納容器１００は、内側に家庭用薄葉紙Ｐを収納する容器本体１と、この容器本体１の底面開口１１を塞ぐ底蓋２と、容器本体１の上部に設けられた家庭用薄葉紙Ｐの取出口１２を開閉するように当該容器本体１に対して回動自在に取付けられた上蓋（蓋体）３と、この上蓋３を回動動作させるための操作部４と、を備えている。
また、容器本体１に底蓋２が取り付けられることで、容器本体１内における家庭用薄葉紙Ｐを収納する収納空間部５（図２等参照）が形成される。
【００１５】
容器本体１の上部後端側には、上蓋３の左右方向に延在する回動軸３１（図２参照）が軸着されており、これにより、上蓋３が左右方向の軸を中心に回動自在となっている。
また、容器本体１の上部前端側には、操作部４が設けられており、当該操作部４が所定操作（例えば、押圧操作等）されることで、上蓋３が上方向に回動する。
すなわち、上蓋３は、例えば、ばね等の付勢手段（図示略）により当該上蓋３を開く方向に付勢されるとともに、回動規制機構６（図２等参照）により上蓋３の回動が規制された状態で、容器本体１に取り付けられている。そして、使用者による操作部４の所定操作に基づいて回動規制機構６による上蓋３の回動の規制が解除されることで、上蓋３が付勢手段により上方向に回動する。これにより、取出口１２が露出されて開いた状態となる。
【００１６】
なお、回動規制機構６としては、例えば、上蓋３の操作部４側の先端部に形成された上蓋側凸部６１が操作部４の上蓋３側の先端部に形成された操作部側凸部６２に係止することで上蓋３の回動を規制する機構が挙げられるが、一例であってこれに限られるものではなく、適宜任意に変更可能である。
【００１７】
容器本体１の上面中央部には、家庭用薄葉紙Ｐを取り出すための取出口１２が設けられている。
例えば、容器本体１の上部には、閉じられた上蓋３を受ける上蓋受部１３の内側に天面部１４が設けられ、この天面部１４の略中央部に取出口１２が形成されている。取出口１２は、前後方向（回動軸３１の延在方向に直交する方向）に長尺に形成されているとともに、前後方向の中途部Ｍの幅が狭くなるように仕切られている。すなわち、取出口１２の左右の縁部分が互いに近付くように左右方向に突出することで、当該中途部Ｍがくびれた形状となっている。また、取出口１２は、中途部Ｍにより仕切られることで上蓋３の回動軸３１側の第１開口部分１２１と操作部４側（回動軸３１と反対側）の第２開口部分１２２が形成されている。
第１開口部分１２１は、主として容器本体１から当該取出口１２を介して引き出される家庭用薄葉紙Ｐが通る領域を形成している。また、第２開口部分１２２は、主として第１開口部分１２１を介して引き出された家庭用薄葉紙Ｐが押し込まれる領域を形成している。
また、第１開口部分１２１の大きさが第２開口部分１２２の大きさに対して大きくされていても良く、これにより、第１開口部分１２１を介して引き出された家庭用薄葉紙Ｐが容器本体１の内側（下側）に落ち込むことを抑制することができる。
【００１８】
また、容器本体１の取出口１２よりも内側（下側）には、家庭用薄葉紙Ｐを当該取出口１２の内側に案内する案内部１５が設けられている。
すなわち、案内部１５は、例えば、容器本体１の取出口１２を形成する天面部１４の下面であって、取出口１２の操作部４側の縁部分から後方下向きに突出するような形状に形成されている。そして、案内部１５は、取出口１２の中途部Ｍにより仕切られた第１開口部分１２１を介して引き出されて第２開口部分１２２に差し込まれた家庭用薄葉紙Ｐを当該取出口１２の内側に案内する（図３参照）。具体的には、案内部１５は、取出口１２を閉じるように上蓋３を回動させた状態にて当該上蓋３の押込部３２（後述）に対向する位置に設けられており、押込部３２により押し込まれた家庭用薄葉紙Ｐを第２開口部分１２２を介して当該取出口１２の内側（容器本体１の内側）に案内するようになっている。
【００１９】
上蓋３の内側には、家庭用薄葉紙Ｐを取出口１２側に押し込むための押込部３２が設けられている。
すなわち、押込部３２は、例えば、上蓋３の内側面であって、操作部４側の部分から後方下向きに突出するような形状に形成されている（図３参照）。具体的には、押込部３２は、取出口１２を閉じるように上蓋３を回動させた状態にて、当該上蓋３における取出口１２の第２開口部分１２２に対向する位置に設けられており、取出口１２の第１開口部分１２１を介して引き出された家庭用薄葉紙Ｐを当該上蓋３の外縁部と容器本体１の上蓋受部１３との係合部分よりも取出口１２側（下側）に押し込むようになっている。
【００２０】
なお、容器本体１、底蓋２、上蓋３、操作部４は、例えば、ＰＥ（ポリエチレン）やＰＰ（ポリプロピレン）、ＰＥＴ（ポリエチレンテレフタレート）、或いは、ＡＢＳ樹脂等から形成されているが、一例であってこれらに限られるものではなく、適宜任意に変更可能である。また、容器本体１の取出口１２を形成する天面部１４は、例えば、他の部分に対して厚さを薄くしたり、他の部分に対して高い摺動性の樹脂からなる別部材として形成されても良い。
【００２１】
次に、家庭用薄葉紙収納容器１００の使用後に上蓋３を閉じる際の動作について説明する。
先ず、家庭用薄葉紙収納容器１００の使用の際には、上蓋３が開いた状態で家庭用薄葉紙Ｐが取出口１２の第１開口部分１２１を介して引き出される（図１参照）。
家庭用薄葉紙収納容器１００の使用後に、使用者により操作された上蓋３が回動軸３１を中心として下方向に回動すると、上蓋３の押込部３２が第１開口部分１２１を介して引き出されている家庭用薄葉紙Ｐの先端部分に当接する（図２参照）。そして、上蓋３がさらに回動することで、押込部３２が家庭用薄葉紙Ｐの先端部分を取出口１２の第２開口部分１２２側に押し込んでいく。第２開口部分１２２に押し込まれる家庭用薄葉紙Ｐの先端部分は、容器本体１の案内部１５により容器本体１の内側に案内される（図３参照）。
そして、下方向に回動する上蓋３が容器本体１の上蓋受部１３に収容されることで、回動規制機構６により上蓋３の回動が規制された状態となる。
【００２２】
以上のように、本実施形態の家庭用薄葉紙収納容器１００によれば、家庭用薄葉紙Ｐの取出口１２は、上蓋３の回動軸３１の延在方向である左右方向に直交する前後方向の中途部Ｍが幅狭となるように仕切られ、回動軸３１側に第１開口部分１２１が形成されているので、第１開口部分１２１を介して家庭用薄葉紙Ｐを引き出すことで、引き出された家庭用薄葉紙Ｐを上蓋３と容器本体１との係合部分（特に、操作部４側の部分）から離間させることができ、上蓋３を回動させて取出口１２を閉じる際に、家庭用薄葉紙Ｐが上蓋３と容器本体１との係合部分に挟まってしまうことを抑制することができる。これにより、上蓋３を回動させて取出口１２を閉じる動作を適正に行うことができる。
さらに、取出口１２を介して引き出された家庭用薄葉紙Ｐが中途部Ｍに接触することで容器本体１の内側（下側）に落ち込み難くすることができる。
【００２３】
また、上蓋３の取出口１２に対向する位置に設けられた押込部３２によって、取出口１２の回動軸３１側の第１開口部分１２１を介して引き出された家庭用薄葉紙Ｐを上蓋３と容器本体１との係合部分よりも取出口１２側（特に、第２開口部分１２２の内側）に適正に押し込むことができ、家庭用薄葉紙Ｐが上蓋３と容器本体１との係合部分に挟まってしまうことを適正に抑制することができる。
さらに、容器本体１の取出口１２よりも内側であって、押込部３２に対向する位置に設けられた案内部１５によって、取出口１２の回動軸３１側の第１開口部分１２１を介して引き出された家庭用薄葉紙Ｐを当該取出口１２の内側（容器本体１の内側）に適正に案内することができ、家庭用薄葉紙Ｐが上蓋３と容器本体１との係合部分に挟まってしまうことをより適正に抑制することができる。
【００２４】
なお、本発明は、上記実施形態に限定されることなく、本発明の趣旨を逸脱しない範囲において、種々の改良並びに設計の変更を行っても良い。
例えば、上記実施形態で例示した取出口１２の形状は、一例であってこれに限られるものではなく、適宜任意に変更可能である。具体的には、例えば、中途部Ｍは、取出口１２Ａを第１開口部分１２１と第２開口部分１２２とに完全に仕切るような形状であっても良い（図４参照）。すなわち、中途部Ｍは、取出口１２Ａの左右の縁部分から中央側に突出した部分が接することで形成され、これにより、取出口１２Ａが第１開口部分１２１と第２開口部分１２２とに仕切られる。
【００２５】
また、上記実施形態にあっては、上蓋３に設けられた押込部３２によって、家庭用薄葉紙Ｐを上蓋３と容器本体１との係合部分よりも取出口１２側に押し込むようにしたが、一例であってこれに限られるものではなく、上蓋３が押込部３２を具備するか否かは適宜任意に変更可能である。
同様に、容器本体１に設けられた案内部１５によって、家庭用薄葉紙Ｐを取出口１２の内側に案内するようにしたが、一例であってこれに限られるものではなく、容器本体１が案内部１５を具備するか否かは適宜任意に変更可能である。
【００２６】
さらに、上記実施形態並びに各変形例にあっては、ウェットティシューやウェットシート等の湿性の家庭用薄葉紙Ｐを収納する家庭用薄葉紙収納容器１００を例示したが、一例であってこれに限られるものではなく、例えば、ティシューペーパー等のその他の家庭用薄葉紙Ｐを収納する家庭用薄葉紙収納容器１００であっても良い。また、家庭用薄葉紙収納容器１００の形状や素材等は、一例であってこれに限られるものではなく、適宜任意に変更可能である。
【００２７】
加えて、今回開示された実施形態は、全ての点で例示であって制限的なものではないと考えられるべきである。本発明の範囲は、上記した説明ではなくて特許請求の範囲によって示され、特許請求の範囲と均等の意味及び範囲内での全ての変更が含まれることが意図される。
【符号の説明】
【００２８】
１００  家庭用薄葉紙収納容器
１      容器本体
１２    取出口
１２１  第１開口部分
１２２  第２開口部分
１５    案内部
３      上蓋
３２    押込部
Ｍ      中途部
Ｐ      家庭用薄葉紙
【図１】
0006574094.tif 000002
【図２】
0006574094.tif 000003
【図３】
0006574094.tif 000004
【図４】
0006574094.tif 000005